(57)【特許請求の範囲】
【請求項１】
吸引ポンプと通じる緩衝瓶および吸引弾性チューブを含む、人体における対称部位の脂肪吸引量を示す装置であって、さらに第１液体貯蔵瓶および第２液体貯蔵瓶を含み、前記第１液体貯蔵瓶および前記第２液体貯蔵瓶が、チューブを介してそれぞれ前記緩衝瓶と通じ、前記第１液体貯蔵瓶および前記第２液体貯蔵瓶が、チューブを介してそれぞれ前記吸引弾性チューブと接続し、
第１Ｔ字管を含み、前記第１Ｔ字管の３つの開口部が、チューブを介してそれぞれ前記第１液体貯蔵瓶、前記第２液体貯蔵瓶および前記緩衝瓶と接続し、
第２Ｔ字管をさらに含み、前記第２Ｔ字管の３つの開口部が、チューブを介してそれぞれ前記第１液体貯蔵瓶、前記第２液体貯蔵瓶および前記吸引弾性チューブと接続することを特徴とする装置。
【請求項２】
前記第１Ｔ字管および前記第１液体貯蔵瓶の間のチューブ上に位置する第１バルブ本体、前記第１Ｔ字管および前記第２液体貯蔵瓶の間のチューブ上に位置する第２バルブ本体、前記第２Ｔ字管および前記第１液体貯蔵瓶の間のチューブ上に位置する第３バルブ本体、前記第２Ｔ字管および前記第２液体貯蔵瓶の間のチューブ上に位置する第４バルブ本体をさらに含むことを特徴とする、請求項１に記載の人体における対称部位の脂肪吸引量を示す装置。
【請求項３】
２つの状態を有する第１スイッチ装置をさらに含み、前記第１スイッチ装置が第１状態にあるとき、前記第２バルブ本体および前記第４バルブ本体が開き、前記第１スイッチ装置が第２状態にあるとき、前記第２バルブ本体および前記第４バルブ本体が閉じることを特徴とする、請求項２に記載の人体における対称部位の脂肪吸引量を示す装置。
【請求項４】
２つの状態を有する第２スイッチ装置をさらに含み、前記第２スイッチ装置が第１状態にあるとき、前記第１バルブ本体および前記第３バルブ本体が開き、前記第２スイッチ装置が第２状態にあるとき、前記第１バルブ本体および前記第３バルブ本体が閉じることを特徴とする、請求項２に記載の人体における対称部位の脂肪吸引量を示す装置。
【請求項５】
少なくとも２つの状態を有する第３スイッチ装置をさらに含み、前記第３スイッチ装置が第１状態にあるとき、前記第１バルブ本体および前記第３バルブ本体が開き、前記第２バルブ本体および前記第４バルブ本体が閉じ、前記第３スイッチ装置が第２状態にあるとき、前記第１バルブ本体および前記第３バルブ本体が閉じ、前記第２バルブ本体および前記第４バルブ本体が開くことを特徴とする、請求項２に記載の人体における対称部位の脂肪吸引量を示す装置。
【請求項６】
吸引ポンプ、吸引ポンプと通じる緩衝瓶、および吸引弾性チューブを含む脂肪吸引装置であって、第１液体貯蔵瓶および第２液体貯蔵瓶をさらに含み、前記第１液体貯蔵瓶および第２液体貯蔵瓶が、チューブを介してそれぞれ緩衝瓶と通じ、前記第１液体貯蔵瓶および前記第２液体貯蔵瓶が、チューブを介してそれぞれ前記吸引弾性チューブと接続し、
第１Ｔ字管および第２Ｔ字管をさらに含み、前記第１Ｔ字管の３つの開口部が、チューブを介してそれぞれ前記第１液体貯蔵瓶、前記第２液体貯蔵瓶および前記緩衝瓶と接続し、前記第２Ｔ字管の３つの開口部が、チューブを介してそれぞれ前記第１液体貯蔵瓶、前記第２液体貯蔵瓶および前記吸引弾性チューブと接続することを特徴とする、脂肪吸引装置。
【請求項７】
前記第１Ｔ字管および前記第１液体貯蔵瓶の間のチューブ上に位置する第１バルブ本体、前記第１Ｔ字管および前記第２液体貯蔵瓶の間のチューブ上に位置する第２バルブ本体、前記第２Ｔ字管および前記第１液体貯蔵瓶の間のチューブ上に位置する第３バルブ本体、前記第２Ｔ字管および前記第２液体貯蔵瓶の間のチューブ上に位置する第４バルブ本体をさらに含み、
少なくとも２つの状態を有する第３スイッチ装置をさらに含み、前記第３スイッチ装置が第１状態にあるとき、前記第１バルブ本体および前記第３バルブ本体が開き、前記第２バルブ本体および前記第４バルブ本体が閉じ、前記第３スイッチ装置が第２状態にあるとき、前記第１バルブ本体および前記第３バルブ本体が閉じ、前記第２バルブ本体および前記第４バルブ本体が開くことを特徴とする、請求項６に記載の脂肪吸引装置。
【発明の詳細な説明】
【技術分野】
【０００１】
本発明は医学分野の美容整形外科、特に人体における対称部位の脂肪吸引量を正確に示す装置、および脂肪吸引装置に関する。
【背景技術】
【０００２】
人体の脂肪細胞は、成長発育段階で身体の成長に伴って増加し、成長して成人になると、細胞の数は一定に保たれる。つまり、成人後の肥満では、脂肪数は増えず、細胞の体積が増えるだけである。成長発育段階での肥満は、脂肪細胞の体積が増えるのと同時に、脂肪細胞の数も増える。
【０００３】
しかし、成人または成長発育段階にある人に関わらず、減量を行ったとしても脂肪細胞の体積が減少するだけである。したがって、手術をせずにダイエットをする場合、全身の体重を減らしても、身体のある部位は、成長発育段階で比較的多くの脂肪細胞が蓄積されており、必然的に全身の体形と比較して明らかに太っている。この場合は、手術による方法でしか、この部位に蓄積した脂肪を取り除くことができない。脂肪吸引による成形は、従来の脂肪吸引の手術方法によって、人体の異なる部位の皮下脂肪を除去調整する。これにより、均整がとれた身体にし、身体のラインを整える目的を果たす。
【０００４】
周知のように、対称性は人類が最も早くに認識した美の法則である。人自身は唯一無二の対称美を有し、人体は身体の中心線を軸とした対称構造である。人にとって対称とは、外観が美しいだけでなく、健康および生存に必要なものである。対称は、美容整形手術においても、守らなければならない基本原則である。
【０００５】
しかしながら、現在の美容整形外科の脂肪吸引手術は、１つの受器を使用し、異なる部位の吸引物を集める。さらに手術の過程で、異なる部位の吸引量を別々に観測または記録するが、この種の方法は、手術過程で観測または記録誤差を起こしやすい。したがって、各部位で吸引された脂肪の体積が一様でない事態が起こり、手術後の人体の対称および美観に影響を及ぼす。
【発明の概要】
【発明が解決しようとする課題】
【０００６】
本発明が解決する技術的問題は、前述の脂肪吸引手術における、対称部位の脂肪吸引量を容易に把握できない欠点に対して、人体における対称部位の脂肪吸引量を正確に示す装置、および脂肪吸引装置を提供することである。
【課題を解決するための手段】
【０００７】
本発明でその技術的問題を解決するのに講じた技術提案として、人体における対称部位の脂肪吸引量を示す装置の構造は、吸引ポンプと通じる緩衝瓶および吸引弾性チューブを含み、さらに第１液体貯蔵瓶および第２液体貯蔵瓶を含む。第１液体貯蔵瓶および第２液体貯蔵瓶は、チューブを介してそれぞれ緩衝瓶と通じ、さらに第１液体貯蔵瓶および第２液体貯蔵瓶は、チューブを介してそれぞれ吸引弾性チューブと接続する。
【０００８】
本発明で述べる、人体における対称部位の脂肪吸引量を示す装置は、第１Ｔ字管を含む。第１Ｔ字管の３つの開口部は、チューブを介してそれぞれ第１液体貯蔵瓶、第２液体貯蔵瓶および緩衝瓶と接続する。
【０００９】
本発明で述べる、人体における対称部位の脂肪吸引量を示す装置は、第２Ｔ字管をさらに含む。第２Ｔ字管の３つの開口部は、チューブを介してそれぞれ第１液体貯蔵瓶、第２液体貯蔵瓶および吸引弾性チューブと接続する。
【００１０】
本発明で述べる、人体における対称部位の脂肪吸引量を示す装置は、第１Ｔ字管および第１液体貯蔵瓶の間のチューブ上に位置する第１バルブ本体、第１Ｔ字管および第２液体貯蔵瓶の間のチューブ上に位置する第２バルブ本体、第２Ｔ字管および第１液体貯蔵瓶の間のチューブ上に位置する第３バルブ本体、第２Ｔ字管および第２液体貯蔵瓶の間のチューブ上に位置する第４バルブ本体をさらに含む。
【００１１】
本発明で述べる、人体における対称部位の脂肪吸引量を示す装置は、２つの状態を有する第１スイッチ装置をさらに含む。第１スイッチ装置が第１状態にあるとき、第２バルブ本体および第４バルブ本体が開き、第１スイッチ装置が第２状態にあるとき、第２バルブ本体および第４バルブ本体が閉じる。
【００１２】
本発明で述べる、人体における対称部位の脂肪吸引量を示す装置は、２つの状態を有する第２スイッチ装置をさらに含む。第２スイッチ装置が第１状態にあるとき、第１バルブ本体および第３バルブ本体が開き、第２スイッチ装置が第２状態にあるとき、第１バルブ本体および第３バルブ本体が閉じる。
【００１３】
本発明で述べる、人体における対称部位の脂肪吸引量を示す装置は、少なくとも２つの状態を有する第３スイッチ装置をさらに含む。第３スイッチ装置が第１状態にあるとき、第１バルブ本体および第３バルブ本体が開き、第２バルブ本体および第４バルブ本体が閉じる。第３スイッチ装置が第２状態にあるとき、第１バルブ本体および第３バルブ本体が閉じ、第２バルブ本体および第４バルブ本体が開く。
【００１４】
本発明は、さらに脂肪吸引装置を提供する。脂肪吸引装置は、吸引ポンプ、吸引ポンプと通じる緩衝瓶および吸引弾性チューブを含み、第１液体貯蔵瓶および第２液体貯蔵瓶をさらに含む。第１液体貯蔵瓶および第２液体貯蔵瓶は、チューブを介してそれぞれ緩衝瓶と通じ、第１液体貯蔵瓶および第２液体貯蔵瓶は、チューブを介してそれぞれ吸引弾性チューブと接続する。
【００１５】
本発明で述べる脂肪吸引装置は、第１Ｔ字管および第２Ｔ字管をさらに含む。第１Ｔ字管の３つの開口部は、チューブを介してそれぞれ第１液体貯蔵瓶、第２液体貯蔵瓶および緩衝瓶と接続し、第２Ｔ字管の３つの開口部は、チューブを介してそれぞれ第１液体貯蔵瓶、第２液体貯蔵瓶および吸引弾性チューブと接続する。
【００１６】
本発明で述べる脂肪吸引装置は、少なくとも２つの状態を有する第３スイッチ装置をさらに含む。第３スイッチ装置が第１状態にあるとき、第１バルブ本体および第３バルブ本体が開き、第２バルブ本体および第４バルブ本体は閉じる。第３スイッチ装置が第２状態にあるとき、第１バルブ本体および第３バルブ本体が閉じ、第２バルブ本体および第４バルブ本体が開く。
【００１７】
本発明の人体における対称部位の脂肪吸引量を示す装置および脂肪吸引装置は、２つの液体貯蔵瓶を設置することによって、対称な２カ所の部位から吸収した脂肪を別々に貯蔵する。したがって、脂肪吸引手術において、対称部位の脂肪吸引量をさらに容易にコントロールし、手術の効果および効率を高める。
【図面の簡単な説明】
【００１８】
以下に図および実施例を組み合わせて、本発明に対してさらに説明を行う。
【図１】図１は、本発明の人体における対称部位の脂肪吸引量を示す装置の、実施例についての概要図である。
【図２】図２は、第１液体貯蔵瓶を使用した脂肪吸引の概要図である。
【図３】図３は、第２液体貯蔵瓶を使用した脂肪吸引の概要図である。
【発明を実施するための形態】
【実施例】
【００１９】
図１に示すのは、本発明の人体における対称部位の脂肪吸引量を示す装置の、実施例についての構造概要図である。本実施例において、本発明の装置は、吸引ポンプ１１と通じる緩衝瓶１４および吸引弾性チューブ１７を含み、さらに第１液体貯蔵瓶１５、第２液体貯蔵瓶１６、第１Ｔ字管１２および第２Ｔ字管１３を含む。第１Ｔ字管１２の３つの開口部は、チューブを介してそれぞれ第１液体貯蔵瓶１５、第２液体貯蔵瓶１６および緩衝瓶１４と接続し、第２Ｔ字管１３の３つの開口部は、チューブを介してそれぞれ第１液体貯蔵瓶１５、第２液体貯蔵瓶１６および吸引弾性チューブ１７と接続する。上述の方法によって、第１液体貯蔵瓶１５および第２液体貯蔵瓶１６は、それぞれ緩衝瓶１４と通じ、第１液体貯蔵瓶１５および第２液体貯蔵瓶１６は、それぞれ吸引弾性チューブ１７と接続する。
【００２０】
図２、３に示すように、上述の装置は、第１Ｔ字管１２および第１液体貯蔵瓶１５の間のチューブ上に位置する第１バルブ本体３１、第１Ｔ字管１２および第２液体貯蔵瓶１６の間のチューブ上に位置する第２バルブ本体２１、第２Ｔ字管１３および第１液体貯蔵瓶１５の間のチューブ上に位置する第３バルブ本体３２、第２Ｔ字管１３および第２液体貯蔵瓶１６の間のチューブ上に位置する第４バルブ本体２２をさらに含む。当然、上述のバルブ本体もＴ字管と結合することができる。つまりバルブ本体を有するＴ字管を直接使用することにより、チューブの連結を制御する。
【００２１】
本発明の装置の使用過程で、手動方式によって、それぞれ上記４つのバルブ本体の開閉を調節する。図２に示すように、第２バルブ本体２１および第４バルブ本体２２を閉じ、第１バルブ本体３１および第３バルブ本体３２を開くとき、吸引弾性チューブ１７は、第２Ｔ字管１３を介して第１液体貯蔵瓶１５と通じ、第１液体貯蔵瓶１５は、第１Ｔ字管１２を介して緩衝瓶１４と通じる。したがって、吸引ポンプ１１によって生成される陰圧下では、吸引弾性チューブ１７が吸引した脂肪を第１液体貯蔵瓶１５に排出する。図３に示すように、第２バルブ本体２１および第４バルブ本体２２が開き、第１バルブ本体３１および第３バルブ本体が閉じているとき、吸引弾性チューブ１７は、第２Ｔ字管１３を介して第２液体貯蔵瓶１６と通じ、第２液体貯蔵瓶１６は、第１Ｔ字管１２を介して緩衝瓶１４と通じる。したがって、吸引ポンプ１１によって生成される陰圧下では、吸引弾性チューブ１７が吸引した脂肪を第２液体貯蔵瓶１６に排出する。
【００２２】
第１液体貯蔵瓶１５および第２液体貯蔵瓶１６は、それぞれ対称部位の脂肪を貯蔵する。したがって、吸引した脂肪量を容易に把握し、術後に非対称が起こるのを防止する。
【００２３】
上述の装置では、１つの第１スイッチ装置（図示しないが、例えば電磁スイッチでよい）によって、第２バルブ本体２１および第４バルブ本体２２のスイッチ制御を行う。第１スイッチ装置は２つの状態を有する。第１状態では、第２バルブ本体２１および第４バルブ本体２２が開き、第２状態では、第２バルブ本体２１および第４バルブ本体２２が閉じる。
【００２４】
同様に、上述の装置では、さらに１つの第２スイッチ装置（図示しないが、例えば電磁スイッチでよい）によって、第１バルブ本体３１および第３バルブ本体３２のスイッチ制御を行う。第２スイッチ装置は２つの状態を有する。第１状態では、第１バルブ本体３１および第３バルブ本体３２が開き、第２状態では、第１バルブ本体３１および第３バルブ本体３２が閉じる。
【００２５】
このほか、別の実施例において、さらに１つの第３スイッチ装置（図示しないが、例えば電磁スイッチでよい）によって、第１バルブ本体３１、第２バルブ本体２１、第３バルブ本体３２および第４バルブ本体２２のスイッチ制御を行う。第３スイッチ装置は少なくとも２つの状態を含む。第１状態にあれば、第１バルブ本体３１および第３バルブ本体３２が開き、第２バルブ本体２１および第４バルブ本体２２が閉じる。第２状態では、第１バルブ本体３１および第３バルブ本体３２が閉じ、第２バルブ本体２１および第４バルブ本体２２が開く。当然、第３スイッチ装置は第３状態も含む。つまり上記４つのバルブ本体が同時に止まり、したがって、本発明の装置が作業を停止する。
【００２６】
以上述べたのは、本発明の好適な実施例であるが、本発明の保護範囲はこれに限定されない。当該技術分野に周知の当業者が、本発明で開示した技術範囲内で容易に考えつく変化または置換は、すべて本発明の保護範囲内に含まれるべきである。したがって、本発明の保護範囲は、特許請求の範囲の保護範囲を基準とするべきである。
【図１】
0005412693.tif 000002
【図２】
0005412693.tif 000003
【図３】
0005412693.tif 000004